(57)【要約】本発明は、無線データ・システム（ＲＤＳ）情報を復号化することができる無線受信デバイス（７）を装備したタイムキーパに関し、これは、タイム・ベース（１）、前記タイム・ベースによって供給された時間データを表示する手段（５）、および前記時間データを修正する手段（２）を含む。無線受信デバイス（７）は、高周波搬送波上で受信されたＲＤＳスペクトルから導出されたＲＤＳタイプ・データを配信する手段（１０）、および、配信されたＲＤＳタイプ・データに基づいて、修正手段（２）をコントロールしてタイムキーパの時間設定を保証するコントロール手段（４、６、１９）を含む。本発明は、タイムキーパがポータブルとなるように設計され、無線受信デバイス（７）が、ＲＤＳタイプ・データが含まれた周波数バンドを除いて、ＲＤＳデータを供給する周波数変調送信器から受信されたスペクトルを拒否する手段（１０）をさらに含むことを特徴とする。
2004530132.tif 000002
【特許請求の範囲】
【請求項１】
無線データ・システム（ＲＤＳ）情報を復号化することができる無線受信デバイス（７、７Ａ）を装備したタイムキーパであって、
タイム・ベース（１）と、
前記タイム・ベースによって供給された時間データを表示する手段（５）と、
前記時間データを修正する手段（２、３）とを含み、
前記無線受信デバイス（７、７Ａ）は、
高周波搬送波上で受信されたＲＤＳスペクトルから導出されたＲＤＳデータを配信する手段（１０）と、
配信されたＲＤＳデータに基づいて、前記修正手段（２）をコントロールしてタイムキーパの時間設定を保証するコントロール手段（４、６、１９）とを含み、
タイムキーパが身に着けられるように設計され、
無線受信デバイス（７、７Ａ）は、ＲＤＳデータを含む周波数バンドを除いて、ＲＤＳデータを供給する周波数変調送信器から受信されたスペクトルを拒否する手段（１０）をさらに含むことを特徴とするタイムキーパ。
【請求項２】
前記無線受信デバイス（７、７Ａ）は、前記ＲＤＳデータを含む周波数のバンドをブロックするバンド・ストップ・フィルタ（１６）が挿入される、フィードバック・ブランチにおける周波数ロック・ループ（１０）を含むことを特徴とする請求項１に記載のタイムキーパ。
【請求項３】
前記ＲＤＳデータにおける現時時間データのみを復号化するように適合されたＲＤＳデータ復号化手段（１８）を含むことを特徴とする請求項２に記載のタイムキーパ。
【請求項４】
前記コントロール手段（４、６、１９）は、
前記タイム・ベース（１）によって供給された内部時間データを格納するための第１のメモリ手段（４）と、
少なくとも１つの周波数変調送信器から受信されたＲＤＳデータから復号化された現時時間データを格納するための第２のメモリ手段（１９）と、
現地時間データを内部時間データと比較するため、かつ現地時間および内部データが異なる場合、タイムキーパの時間を修正するための解析手段（６）とを含むことを特徴とする請求項１から３のいずれか一項に記載のタイムキーパ。
【請求項５】
無線同期化によってタイムキーパを正しい時間に設定する方法であって、
そのスペクトルがＲＤＳデータを含む周波数変調送信器の伝送信号をサーチするステップと、
ＲＤＳデータを復調し、前記ＲＤＳデータに含まれた現地時間データを復号化するステップと、
前記タイムキーパの内部時間を、このように復号化された現地時間データと比較するステップと、
前記内部時間が前記復号化された現地時間データと異なる場合、前記タイムキーパの内部時間を調整するステップからなり、
この方法は、
前記タイムキーパが身に着けられるように適合され、
これはまた、ＲＤＳデータを含む周波数のバンドを除いて、前記送信器から受信されたベースバンド・オーディオ・スペクトルを拒否することを特徴とする方法。
【請求項６】
所定の期間によって分離された時間に実行され、前記所定の期間中に前記伝送信号の受信に割り込むことを特徴とする請求項５に記載の方法。
【請求項７】
ＲＤＳデータを含む伝送信号を第１の周波数変調送信器から受信するステップと、
第１の現地時間データを前記信号から抽出するステップと、
前記第１の現地時間データを前記タイムキーパの内部時間と比較するステップと、
第１の現地時間データと内部時間の間にいずれかの矛盾がある場合、ＲＤＳデータを含む少なくとも第２の伝送信号を第２の周波数変調送信器から受信するステップと、
前記第２の伝送信号から第２の現地時間データを抽出するステップと、
第２の現地時間データを第１の現地時間データと比較するステップと、
第１の現地時間データが第２の現地時間データに等しい場合にのみ、前記矛盾を取り消すように前記タイムキーパの時間を設定するステップとを含むことを特徴とする請求項５または６のいずれかに記載の方法。
【請求項８】
前記内部時間が前記現地時間データとちょうど１時間またはちょうど複数時間だけ異なる場合、この方法は前記タイムキーパにおける時間情報のみを修正することを特徴とする請求項５から７のいずれか一項に記載の方法。
【請求項９】
前記内部時間と前記現地時間データの間の差の進展を解析するステップ、および、その差が、前記内部時間および前記現地時間データを比較するいくつかの連続動作に関する系統誤差を示す場合、前記タイムキーパのレートコンバージェンスを修正するステップにおいて存することを特徴とする請求項５から８のいずれか一項に記載の方法。
【発明の詳細な説明】
【技術分野】
【０００１】
本発明は、無線データ・システム（ＲＤＳ）無線放送送信器によって自動的に正しい時間に設定することができるタイムキーパの無線同期化に関する。
【背景技術】
【０００２】
周波数変調（ＦＭ）バンドにおいて、かつＲＤＳ標準に従って動作する無線局は、局のオーディオ信号により伝送されたフレームのＣＴ部分に時間と符号化されたデータを含む時間信号を伝送する。
【０００３】
添付の図面の図１は、上記のタイプの局によって伝送された、標準化されたベースバンド・スペクトルを示している。これは周波数が送信側の局に特有な周波数で搬送波Ｐを変調している。このスペクトルは０から１５ｋＨｚの第１のモノ・バンドＢ１を含み、かつ伝送される右および左のオーディオ・チャネル信号のすべてを含むことを見ることができる。１９ｋＨｚのパイロット周波数ＦＰが、ステレオ情報を復号化するために使用され、２３から５３ｋＨｚの第２のステレオ・バンドＢ２は右および左のオーディオ信号の間の差を含む。最後に、第３のバンドＢ３はＲＤＳデータを含む。このスペクトルのバンドは、５４．５から５９．５ｋＨｚの帯域幅で５７ｋＨｚを中心とする。
【０００４】
特許ＧＢ  ２  ２３８  ４３８号は、ＲＤＳ無線受信デバイスを装備したタイムキーパを開示し、これは、
タイム・ベース、
タイム・ベースによって供給された時間データを表示する手段、および
時間データを修正する手段を含み、
ＲＤＳ無線受信デバイスは、
高周波搬送波上で受信されたＲＤＳスペクトルから導出されたＲＤＳデータを配信する手段、および
コントロール手段であって、配信されたＲＤＳデータに基づいて、修正手段をコントロールしてタイムキーパの時間設定を保証するコントロール手段を含む。
【０００５】
先に引用した特許に記載されているＲＤＳ無線受信デバイスは、図１のスペクトルのバンドＢ３に含まれたＲＤＳフレームからのタイミング・データを、受信器におけるタイムキーパとして提供されたクロックの無線同期化を保証するために使用する。しかし、受信デバイスは主に、それを同調させることができる局によるオーディオ放送を聞くために意図されるので、受信デバイスは、機能するために比較的大量のエネルギーを必要とする受信およびサウンド再生回路を含まなければならない。
【０００６】
したがって、受信デバイスは大容量のエネルギー源を有していなければならず、その非常に少しの部分のみが無線同期化のために使用される。この特許で提供された実施例は、自動車のための無線受信器に関し、この種類の供給は必然的に、車両の車上電源ネットワークの形式において容易に使用可能であり、その結果として、無線同期化のために必要とされるエネルギーの量は設計者にとって問題ではない。
【０００７】
同じことは、内蔵時計の無線同期化を有する通常の種類の無線の形式を取るＲＤＳ受信器の場合に当てはまり、これはこの種類の無線の規模が、使用者にとって許容可能である期間に渡って、無線同期回路を含む受信器のすべての回路に電力供給するために十分な容量の電池を収容することができるからである。付随的に、このような無線には本線によって、あるいは車両電源ネットワークによって電力供給することもできる。
【０００８】
時計および腕時計の分野では、腕時計など、タイムキーパにおいて使用可能なエネルギー蓄積容量が現行の問題であり、設計者は、タイムキーパのすべてのコンポーネントの消耗を最小限にして、そのサイズがタイムキーパのものと矛盾のない電池から、タイムキーパに可能な最長の電池寿命を与えることによって、この問題を解決するために可能な限り多くの試みをしている。先に引用した特許で開示された概念を、ＲＤＳデータを使用して無線同期化することを目的として、使用者によって身に着けられるタイムキーパに置き換えると、このように電気エネルギーを供給する問題に至る。これは、腕時計などのタイムキーパは、明らかに、ＲＤＳのＨＦ無線受信器および無線同期クロック回路の組み合わせが適切な期間に渡って動作できるようにするためには十分な容量のエネルギー源を収容できないからである。
【０００９】
通常の腕時計の電池は１．３Ｖの電圧で動作し、ほぼ１ｍＡ程度のみの最大電流を提供し、好ましくは約１年またはそれ以上もの電池寿命を有する。
【００１０】
また当技術分野で知られているものは無線同期腕時計であり、これは、通常は４０〜８０ｋＨｚの周波数で、時間信号を長波搬送波上で伝送する局に同調された無線受信器を含む。これらの局は無線同期化のみの専用であり、それらの伝送周波数および能力のため、これらは複数の時間帯を包含する地域をカバーする。したがって、適切な受信手段を装備した腕時計が同期化される時間は、必ずしも腕時計の使用者が位置する時間帯に対応するのではない。また、この種類の腕時計における無線同期機能に関連する消費は比較的低く、いかなる場合でも、腕時計のエネルギー源の標準の使用の期間と矛盾がない。この理由は、同期情報を搬送する低無線周波数により、電力消費が低い手段の使用が可能となるからである。したがって、この従来技術の概念は、使用者によって身に着けられ、ＲＤＳ標準に従って時間データを伝送するＨＦ無線局からの伝送によって無線同期化されるタイムキーパを製造する問題に、満足のいく解決策を提供することができない。
【特許文献１】
ＧＢ  ２  ２３８  ４３８号
【特許文献２】
ＵＳ  ４，４２６，７３５号
【特許文献３】
ＥＰ  ０  ６２４  ９５９号
【特許文献４】
ＵＳ  ３，８９５，４８６号
【非特許文献１】
「Ｅｌｅｃｔｒｏｎｉｃ  Ｆｉｌｔｅｒ  Ｄｅｓｉｇｎ  Ｈａｎｄｂｏｏｋ」、Ａ．Ｂ．ＷｉｌｌｉａｍｓおよびＦ．Ｊ．Ｔａｙｌｏｒ著、ＭｃＧｒａｗ−Ｈｉｌｌ，Ｉｎｃ、Ｎｅｗ  Ｙｏｒｋ
【発明の開示】
【発明が解決しようとする課題】
【００１１】
本発明の目的は、ＲＤＳ無線受信デバイスを装備したタイムキーパを提供することであり、ＲＤＳ無線受信デバイスは、それによって受信されたいずれかの種類のＲＤＳ局による放送の時間データを使用してタイムキーパを無線同期化するためのものであり、タイムキーパの電力消費は、通常は計時器において使用される電池のエネルギー蓄積容量と矛盾がない。
【課題を解決するための手段】
【００１２】
したがって、本発明は上に定義されたようなタイムキーパであり、これは、タイムキーパが身に着けられるように設計され、無線受信デバイスは、ＲＤＳデータを含む周波数バンドを除いて、ＲＤＳデータを供給する周波数変調送信器から受信されたスペクトルを拒否する手段を含むことを特徴とする。
【００１３】
上記の特徴によって、タイムキーパの内部時間を、ＲＤＳ送信器によって供給された現地時間に応じて修正することができ、タイムキーパの無線受信部分の消費が最小限にされ、これはタイミング・データが変調される先の周波数のバンドのみが、受信されたＨＦ搬送波の周波数の復調バンドから抽出されるからである。
【００１４】
さらに、ＲＤＳ送信器は、時間帯によってカバーされた地理的領域よりはるかに少ないショート・レンジを有し、また、ＲＤＳ局がすべての地理的領域において広く行き渡っているので、本発明によるタイムキーパは、すべての状況において、腕時計が位置する地理的領域において、良好な受信のために必要かつ十分な伝送能力を有するＲＤＳ送信器の現時時間を採用することになる。したがって、時間帯の変化、または、冬時間から夏時間への、またはその逆の切り替えは、本発明によるタイムキーパでは自動である。
【００１５】
この説明では、「現地時間」という表現は、ＦＭ信号のＲＤＳ部分によって提供された時間データを指し、送信側の局の地理的位置に対応するオフセット値を伴う日付およびＧＭＴ世界時を指示するものである。
【００１６】
本発明の１つの好ましい特徴によれば、無線受信デバイスは、ＲＤＳデータを含む周波数のバンドをブロックするバンド・ストップ・フィルタが挿入される、フィードバック・ブランチにおける周波数ロック・ループを含む。
【００１７】
タイムキーパの他の有益な特徴によれば、
これは、ＲＤＳデータにおける現時時間データのみを復号化するように適合されたＲＤＳデータ復号化手段を含み、
コントロール手段は、タイム・ベースによって供給された内部時間データを格納するための第１のメモリ手段、少なくとも１つの周波数変調送信器から受信されたＲＤＳデータから復号化された現時時間データを格納するための第２のメモリ手段、および、現地時間データを内部時間データと比較するため、かつ現地時間および内部データが異なる場合、タイムキーパの時間を修正するための解析手段を含む。
【００１８】
本発明はまた、無線同期化によってタイムキーパを正しい時間に設定する方法も提供し、これは、
そのスペクトルがＲＤＳデータを含む周波数変調送信器の伝送信号をサーチすること、
ＲＤＳデータを復調し、ＲＤＳデータに含まれた現地時間データを復号化すること、
タイムキーパの内部時間を、このように復号化された現地時間データと比較すること、および
適用可能であれば、内部時間が復号化された現地時間データと異なる場合、タイムキーパの内部時間を調整することからなり、
この方法は、
タイムキーパが身に着けられるように適合され、
これはまた、ＲＤＳデータを含む周波数のバンドを除いて、送信器から受信されたベースバンド・オーディオ・スペクトルを拒否することを特徴とする。
【００１９】
この方法の他の有利な特徴によれば、
これは、所定の期間によって分離された時間に実行され、所定の期間中に前記伝送信号の受信に割り込む、
これは、ＲＤＳデータを含む伝送信号を第１の周波数変調送信器から受信し、第１の現地時間データをその信号から抽出し、第１の現地時間データをタイムキーパの内部時間と比較し、第１の現地時間データと内部時間の間にいずれかの矛盾がある場合、ＲＤＳデータを含む少なくとも第２の伝送信号を第２の周波数変調送信器から受信し、第２の伝送信号から第２の現地時間データを抽出し、第２の現地時間データを第１の現地時間データと比較し、第１の現地時間データが第２の現地時間データに等しい場合にのみ、矛盾を取り消すようにタイムキーパの時間を設定する、
内部時間が現地時間データとちょうど１時間またはちょうど複数時間だけ異なる場合、この方法はタイムキーパにおける時間情報のみを修正し、
これは、内部時間と現地時間データの間の差の進展を解析すること、および、その差が、内部時間および現地時間データを比較するいくつかの連続動作に関する系統誤差を示す場合、タイムキーパのレートコンバージェンスを修正する。
【００２０】
本発明の他の特徴および利点は、以下の説明の過程で明らかになるであろう。以下の説明は例としてのみ、添付の図面を参照して与えられる。
【発明を実施するための最良の形態】
【００２１】
図２は、本発明により無線同期化されたタイムキーパを示し、これは好ましくは腕時計の形式を取り、時間データを供給するタイム・ベース１を含む。時間データが時間設定手段２に供給され、クラウン・リング・メカニズム３を用いたタイムキーパの手動調整が可能である。時間データがメモリ手段４にロードされ、表示デバイス５に供給される。メモリ手段４は、変化する秒、分、時や曜日、日付、年などのその他の時間データを含む。このデータを以下で「内部データ」と称する。これは、タイムキーパの「内部時間」に対応する。
【００２２】
上で説明したすべての手段は時計および時計製造の技術分野において周知であり、したがって詳細に説明する必要はない。これらは非常に多数の変形形態が存在し、そのすべてが当技術分野において周知である。たとえば、表示デバイス５をアナログまたはデジタルのデバイスにすることができ、あるいは両方のタイプの表示を組み合わせることもできる。他の時間指示機能も用いることができ、これはたとえば曜日および時間、ストップウォッチ機能、カウントダウン機能などである。これらのすべての手段が、たとえばマイクロコントローラ６によって管理される。
【００２３】
使用者によって身に着けられるタイムキーパはＲＤＳ無線受信デバイス７も含む。ＲＤＳ情報を伝送するＦＭ局の周波数変調バンドをとらえることができるアンテナ８は、受信された搬送波信号を低雑音増幅器９に与え、その出力信号が周波数ロック・ループ１０に伝送される。アンテナ８は、たとえばＥＰ  ０  ３９９  ４８２号に記載された形式を取ることができる。
【００２４】
周波数ロック・ループ１０は、ミキサ１１、中間周波数増幅器とフィルタ回路１２、オーバーサンプリング回路１３、周波数変調復調器１４、電圧制御ローカル発振器１５、および、周波数ロック・ループのフィードバック・ブランチにおけるバンド・ストップ・フィルタ１６を含み、ローカル発振器１５はミキサ１１にループ・バックされる。
【００２５】
フィルタ１６を除いて、周波数ロック・ループ１０を、たとえば米国特許第４，４２６，７３５号に記載されたものと類似にすることができる。オーバーサンプリング回路１３を、特許ＥＰ  ０  ６２４  ９５９号に記載されたものにすることができる。
【００２６】
フィルタ１６は、ＲＤＳ情報の伝送のために標準化された周波数のバンドを除いて、復調された周波数スペクトルのすべてを通過させる。したがって、フィルタ１６は、５７ｋＨｚを中心とした５４．５から５９．５ｋＨｚの周波数バンドを通過させない。このフィルタを、Ａ．Ｂ．ＷｉｌｌｉａｍｓおよびＦ．Ｊ．Ｔａｙｌｏｒ著「Ｅｌｅｃｔｒｏｎｉｃ  Ｆｉｌｔｅｒ  Ｄｅｓｉｇｎ  Ｈａｎｄｂｏｏｋ」、ＭｃＧｒａｗ−Ｈｉｌｌ，Ｉｎｃ、Ｎｅｗ  Ｙｏｒｋ、ＵＳＡ編集で説明されるように構築することができる。
【００２７】
フィルタ１６によって、周波数ロック・ループ１０は、ＲＤＳバンドＢ３（図１）を除いて、送信側の局の搬送波上に変調されたスペクトルのすべての周波数を減衰させる。したがって、ＲＤＳバンドＤ３が復調器１４の出力に復調された形式で現れる。これがＲＤＳ復調器１７に接続される。ここでＲＤＳ情報が復調され、復号回路１８に送信される。後者は、ＲＤＳ情報から、上述のように装備されたタイムキーパが位置する受信エリア内の現地のＲＤＳ無線局の時間を表す時間データを抽出するように設計されている。すなわち、受信デバイス７は、ＲＤＳ情報のフレーム部分ＣＴが符号化される周波数のバンドを除いて、受信された無線信号に含まれた復調バンドのスペクトルを拒否する。
【００２８】
したがって、本発明によるタイムキーパの無線受信デバイス７は、受信信号に含まれたオーディオ情報を再生するための回路を有していないので、その消費を、腕時計の電池に必要とされた通常の使用期間と矛盾のなく厳密に最低限に制限することができる。
【００２９】
復号回路１８によって供給された現地時間データがメモリ手段１９に供給される。メモリ手段４および１９はマイクロコントローラ６に接続され、マイクロコントローラ６はこれらを以下に説明する方法でコントロールする。メモリ１９に含まれた時間データは変化し、これを本明細書で「現地データ」と称する。これは、所与の時間にとらえられた送信器の「現地時間」に対応する。
【００３０】
したがって、タイム・ベース１によって決定された「内部」時間、および、無線受信デバイス７を介して無線によって受信されたＲＤＳ情報に含まれた「現地」時間を受信すると、内部時間をコントロールし、適用可能であれば、タイムキーパを正しい時間に設定するための方法を実施するようにマイクロコントローラ６をプログラムすることができる。
【００３１】
有利な変形形態では、マイクロコントローラ６を使用して、内部時間と現地時間の間の差の経時的な変化を監視し、この変化がタイムキーパの系統速度誤差を示す場合、速度修正を命令することもできる。この種類の修正手段を備えたタイムキーパは米国特許第３，８９５，４８６号に記載されている。
【００３２】
図３は、この種類の方法の一実施例を示す。
【００３３】
タイムキーパの時間を監視するため、最初に実行されるステップは、ＲＤＳ信号を含む周波数変調無線伝送を提供する送信器をサーチするステップＥ１である。サーチを命令するため、マイクロコントローラ６は適切な信号をローカル発振器１５へ、接続２０を介して与え、同調周波数をたとえば１００ｋＨｚずつ変えることによってサーチを実行する。受信された信号のレベルが、ＲＤＳ信号の正しい検出を保証するために十分な所定の値を超えると、その送信器が保持される。
【００３４】
上記の種類の送信器が発見されるとすぐに、復調されたＲＤＳ信号が復調器１７の出力に現れる。対応する信号が復号器１８に加えられ、現地時間データがメモリ手段１９に入れられる（ステップＥ２）。
【００３５】
ステップＥ３は、メモリ手段４に入れられた現在の内部データを、メモリ手段１９に入れられた復号化された現地データと比較する。これらが一致した場合、タイムキーパの内部時間が問題の送信器の現地時間に対応し、タイムキーパが正しい時間を示していることが保証され、処置は行われない。
【００３６】
マイクロコントローラ６は、受信器７をスタンバイ・モードに切り替えることを命令して、エネルギーを節約することが好ましい（ステップＥ４）。
【００３７】
マイクロコントローラ６は、内部時間を再度チェックできるようにするため、所定の期間の後（ステップＥ５）、受信器７が再度エネルギーを与えられるようにプログラムされることが好ましい。内部時間における２つの連続したチェックの間の期間は、調整コントロール２を用いて調整可能であることが好ましく、この期間およびその修正は、表示デバイス５上に適切に表示される。この自動コントロールに加えて、あるいはこれに代えて、計時器の使用者の意志でトリガすることができる手動コントロール時間チェック機構を設けることも可能であり、これはたとえば、このためにクラウン・リンク・メカニズム３に、かつ時間設定デバイス２に割り当てられた機能を用いて行われる。
【００３８】
ステップＥ３で内部時間が現地時間に対応しない場合、当然、タイムキーパが正しい時間に設定されない可能性はあるが、発見されている送信器が誤った時間を示している可能性もある。このために、ステップＥ６で新しい送信器のサーチが実行される。このサーチは、ステップＥ３を実行するときと同じ条件の下で行われる。
【００３９】
新しい送信器が発見されるとすぐに、ステップＥ７で、その送信器によって供給された現地時間データが復号化され、メモリ手段１９に入れられる。ステップＥ８で、マイクロコントローラ６が、前の送信器によって供給された現地時間、および、復号化されたばかりの第２の送信器からの時間を比較する。
【００４０】
これら２つの時間の値が一致した場合、内部タイマが誤っており、２つの送信器によって連続して供給された現地時間データが正確であるという結論を下すことができる。
【００４１】
次いで、ステップＥ９で、マイクロコントローラ６が、現地時間と内部時間の間の差Δｔをメモリに格納することを命令する。
【００４２】
一方、ステップＥ２およびＥ７中でそれぞれ確立された２つの送信器の現地時間が一致しない場合、いずれの送信器も正しい時間を有していないことを保証することが必要である。次いで、マイクロコントローラ６が、受信器７をスタンバイ・モードに切り替えることを命令することが好ましく（ステップＥ４）、これは、時間における新しいチェクを、スタンバイ期間の満了後に実行することができるからである。
【００４３】
上で表した場合では、タイムキーパが整合速度関数を有し、それによりマイクロコントローラ６が、前述のようにタイム・ベース１がいずれかのドリフトを受ける場合、タイム・ベース１の速度を調整することができると仮定される。たとえば、ドリフトによって引き起こされたタイムキーパの速度における系統誤差が発見された場合、上述の方法を使用して速度が修正される。
【００４４】
したがって、上述の実施形態では、ステップＥ１０でテストが実行されて、連続したチェック・プロセス中に一定の間隔で連続して得られた値Δｔが系統的に増加または減少するかどうかが検証される。そうでない場合、ステップＥ１１中でタイムキーパが、内部時間を値Δｔにより修正することによって更新される。
【００４５】
前記整合速度関数がないときは、差Δｔが検出されるとすぐに、マイクロコントローラ６が内部時間を修正できることは言うまでもない（ステップＥ９）。
【００４６】
タイムキーパを正しい時間に設定する間（ステップＥ１１）、時間だけでなく、日付（日、月、年）も修正することが可能である。したがって、本発明による方法を使用して、タイムキーパを、それが身に着けられる時間帯に応じてリセットすることができ、この変更は、たとえば旅行中に時間帯を横断する場合に行われる。これは次いで、次の時間帯が前の時間帯に対して３０分だけオフセットされることが起こる場合、比較的重要ではなく、これはいくつかの時間帯の場合と同様であり、正しい時間に設定することはまたこの場合にも行われる。オフセットがちょうど１時間またはちょうど数時間のものである場合、内部データを時間および時間表示についてのみ修正することで十分であることは言うまでもない。
【００４７】
ステップ１０のテストの結果が肯定的である場合、時間設定ステップＥ１１に進む前に、当技術分野において知られている方法でタイム・ベース１に操作を加えることによってマイクロコントローラ６がレートコンバージェンスを調整（ステップＥ１２）する。
【００４８】
上で説明した無線同期化は特に、腕時計など、身に着けた者の動きによって動作される発電器によって再充電される低容量の蓄電池によってエネルギーが供給されるようになっており、使用者によって身に着けられるタイムキーパにおいて有益であることは当業者には明らかである。この種類の腕時計は、身に着けられていない場合、直ちに停止する。本発明による方法は、腕時計が再度身に着けられるとき、これを正しい時間に設定するだけでなく、曜日、日付および年など、他の時間データも修正する。
【００４９】
本発明による方法はまた、電池によって電力供給されるすべてのタイムキーパについて大変有効であるとも判明している。電池を交換した後、次いでその時間データの修正は自動的かつ正確である。
【００５０】
すでに上で示したように、内部時間および現地時間を比較した後、時間の値のみが異なる場合、マイクロコントローラ６は、冬時間から夏時間に、あるいはその逆に変更するか、あるいは時間帯を変更するかを決定することができ、これは、タイムキーパを身に着ける者がある時間帯から別の時間帯に行っているからである。
【００５１】
図４は、異なる無線受信デバイス７Ａを示し、これは、同じ参照番号が使用される図２のものに類似した回路に加えて、広帯域増幅器９の出力に接続された移相器２１を含む。位相シフトされていない第１の受信された変調搬送波信号が第１のミキサ２２に供給され、９０°位相シフトされた第２の受信された変調搬送波信号が第２のミキサ２３に供給される。２つのミキサ２２および２３の出力が中間周波数増幅器とフィルタ回路１２に接続される。
【００５２】
前述の説明では、使用者によって身に着けられた「タイムキーパ」という表現が幅広い意味において解釈されなければならない。したがって、特に腕時計にのみ適用されるのではなく、旅行用目覚まし時計など、低容量のエネルギー源を装備したいかなるタイムキーパにも適用される。
【００５３】
また、特に図３を参照して説明した方法は、採用された修正方法に応じて多数の変形形態に役立つことも明らかである。
【図面の簡単な説明】
【００５４】
【図１】既に説明した、ＲＤＳ信号を含むＦＭ無線伝送の正規化されたベースバンド・スペクトルを表す図である。
【図２】本発明による、使用者によって身に着けられ、無線同期化されたタイムキーパの簡略図である。
【図３】本発明によるタイムキーパの挙動を例示する流れ図である。
【図４】本発明によるタイムキーパの無線受信デバイスの異なる実施形態を示す図である。
【図３】
2004530132.tif 000003
【国際公開パンフレット】
2004530132.tif 000004
2004530132.tif 000005
2004530132.tif 000006
2004530132.tif 000007
2004530132.tif 000008
2004530132.tif 000009
2004530132.tif 000010
2004530132.tif 000011
2004530132.tif 000012
2004530132.tif 000013
2004530132.tif 000014
2004530132.tif 000015
2004530132.tif 000016
2004530132.tif 000017
2004530132.tif 000018
2004530132.tif 000019
2004530132.tif 000020
【国際調査報告】
2004530132.tif 000021
2004530132.tif 000022
2004530132.tif 000023
2004530132.tif 000024